(57)【要約】ＶｏＩＰに基づく通信方法が開示され、ＶｏＩＰ端末が、ＶｏＩＰ端末が登録したインターネットアクセスプロバイダーＩＳＰ及びＶｏＩＰサービスプロバイダーＶＳＰにより他の端末に対する呼び出しサービス要求を開始し、他の端末がＶｏＩＰ端末に対して開始した呼び出しサービス要求を受信して、他の端末との呼び出しサービスを完了させる。ＶｏＩＰに基づく通信システムも開示される。本開示はＶｏＩＰ端末がインターネットアクセスプロバイダーを介してＶｏＩＰサービスプロバイダーにアクセスして呼び出しサービスを開始することをサポートし、発呼者端末と着呼者端末が夫々の登録したインターネットアクセスプロバイダー及びＶｏＩＰサービスプロバイダーにより呼び出しサービスの繋がりを実現でき、インターネットアクセスプロバイダーとＶｏＩＰサービスプロバイダーとの関係を新たに定義し、課金原則を明確にし、ＶｏＩＰ通信に対するサポートを実現する。
2015530048.tif 000002
【特許請求の範囲】
【請求項１】
ボイスオーバーインターネットプロトコルに基づく通信方法であって、
ボイスオーバーインターネットプロトコルＶｏＩＰ端末が、前記ＶｏＩＰ端末が登録したインターネットアクセスオペレータＩＳＰ及びＶｏＩＰサービスプロバイダーＶＳＰにより他の端末に対する呼び出しサービス要求を開始し、また他の端末が前記ＶｏＩＰ端末に対して開始した呼び出しサービス要求を受信して、他の端末との呼び出しサービスを完了させることを含むことを特徴とする方法。
【請求項２】
前記ＩＳＰ及び／又は前記ＶＳＰが前記ＶｏＩＰ端末に対する呼び出しサービスの課金情報を生成することをさらに含むことを特徴とする
請求項１に記載の方法。
【請求項３】
前記他の端末がＶｏＩＰ端末である場合、前記他の端末が登録したＩＳＰ及び／又はＶＳＰによって前記他の端末に対する呼び出しサービスの課金情報を生成することをさらに含むことを特徴とする
請求項１又は２に記載の方法。
【請求項４】
発呼者ＶｏＩＰ端末が、発呼者ＶｏＩＰ端末が登録したＶＳＰに料金を支払うこと、
及び／又は、着呼者ＶｏＩＰ端末が、着呼者ＶｏＩＰ端末が登録したＶＳＰに料金を支払うこと、
及び／又は、発呼者ＶｏＩＰ端末が、発呼者ＶｏＩＰ端末が登録したＩＳＰに呼び出し接続に対して料金を支払うこと、
及び／又は、着呼者ＶｏＩＰ端末が、着呼者ＶｏＩＰ端末が登録したＩＳＰに呼び出し接続に対して料金を支払うこと、
及び／又は、発呼者ＶｏＩＰ端末が登録したＶＳＰが、発呼者ＶｏＩＰ端末が登録したＩＳＰに料金を支払うこと、
及び／又は、着呼者ＶｏＩＰ端末が登録したＶＳＰが、着呼者ＶｏＩＰ端末が登録したＩＳＰに料金を支払うこと、
及び／又は、発呼者ＶｏＩＰ端末が登録したＶＳＰが、着呼者ＶｏＩＰ端末が登録したＩＳＰに料金を支払うこと、
及び／又は着呼者ＶｏＩＰ端末が登録したＶＳＰが、発呼者ＶｏＩＰ端末が登録したＩＳＰに料金を支払うこと、
及び／又は、発呼者ＶｏＩＰ端末が登録したＶＳＰが、着呼者ＶｏＩＰ端末が登録したＶＳＰに料金を支払うこと、
及び／又は、着呼者ＶｏＩＰ端末が登録したＶＳＰが、発呼者ＶｏＩＰ端末が登録したＶＳＰに料金を支払うことをさらに含むことを特徴とする
請求項３に記載の方法。
【請求項５】
他の端末との呼び出しサービスを完了させることは、
発呼者ＶｏＩＰ端末が登録したＩＳＰが、発呼者ＶｏＩＰ端末から送信された呼び出し要求メッセージを受信した後に、前記呼び出し要求メッセージを発呼者ＶｏＩＰ端末が登録したＶＳＰに転送し、
発呼者ＶｏＩＰ端末が登録したＶＳＰが、前記呼び出し要求メッセージを着呼者ＶｏＩＰ端末が登録したＶＳＰに転送し、着呼者ＶｏＩＰ端末が登録したＶＳＰが前記呼び出し要求メッセージを着呼者ＶｏＩＰ端末が登録したＩＳＰに転送し、そして着呼者ＶｏＩＰ端末が登録したＩＳＰによって前記呼び出し要求メッセージを着呼者ＶｏＩＰ端末に転送し、
前記着呼者ＶｏＩＰ端末が、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し応答メッセージを送信して、発呼者ＶｏＩＰ端末と着呼者ＶｏＩＰ端末の呼び出し接続を実現することを含むことを特徴とする
請求項３に記載の方法。
【請求項６】
他の端末との呼び出しサービスを完了させることは、
発呼者ＶｏＩＰ端末が登録したＩＳＰが、発呼者ＶｏＩＰ端末から送信されたメディア変更要求メッセージを受信した後に、前記メディア変更要求メッセージを発呼者ＶｏＩＰ端末が登録したＶＳＰに転送し、
発呼者ＶｏＩＰ端末が登録したＩＳＰが、前記メディア変更要求メッセージを着呼者ＶｏＩＰ端末が登録したＶＳＰに転送し、着呼者ＶｏＩＰ端末が登録したＶＳＰが前記メディア変更要求メッセージを着呼者ＶｏＩＰ端末が登録したＩＳＰに転送し、そして着呼者ＶｏＩＰ端末が登録したＩＳＰによって前記メディア変更要求メッセージを着呼者ＶｏＩＰ端末に転送し、
前記着呼者ＶｏＩＰ端末が、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末にメディア変更応答メッセージを送信して、メディア変更を実現することを含むことを特徴とする
請求項３に記載の方法。
【請求項７】
他の端末との呼び出しサービスを完了させることは、
発呼者ＶｏＩＰ端末が登録したＩＳＰが、発呼者ＶｏＩＰ端末から送信された呼び出し解放要求メッセージを受信した後に、前記呼び出し解放要求メッセージを発呼者ＶｏＩＰ端末が登録したＶＳＰに転送し、
発呼者ＶｏＩＰ端末が登録したＶＳＰが、前記呼び出し解放要求メッセージを着呼者ＶｏＩＰ端末が登録したＶＳＰに転送し、着呼者ＶｏＩＰ端末が登録したＶＳＰが前記呼び出し解放要求メッセージを着呼者ＶｏＩＰ端末が登録したＩＳＰに転送し、そして着呼者ＶｏＩＰ端末が登録したＩＳＰによって前記呼び出し解放要求メッセージを着呼者ＶｏＩＰ端末に転送し、
前記着呼者ＶｏＩＰ端末が、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し解放応答メッセージを送信して、呼び出し解放を実現することを含むことを特徴とする
請求項３に記載の方法。
【請求項８】
着呼者ＶｏＩＰ端末が登録したＶＳＰ及び／又はＩＳＰが応答メッセージを受信した後に、呼び出しサービスの課金情報を生成することをさらに含むことを特徴とする
請求項５〜７のいずれか１項に記載の方法。
【請求項９】
前記ＩＳＰは、固定アクセスオペレータ、又は移動アクセスオペレータを含み、
前記ＶＳＰは、ＩＳＰの分岐機構、又は独立外部エンティティを含み、
前記呼び出しサービスは、音声、ビデオ、メッセージＭｅｓｓａｇｅ、ホワイトボード応用、デスクトップ共有、アプリケーション共有、ファイル伝送などのセッションに基づく応用を含むことを特徴とする
請求項８に記載の方法。
【請求項１０】
ボイスオーバーインターネットプロトコルＶｏＩＰに基づく通信システムであって、
ＶｏＩＰ端末、ＩＳＰとＶＳＰを備え、その中、
ＶｏＩＰ端末が、前記ＶｏＩＰ端末が登録したＩＳＰ及びＶＳＰにより他の端末に対する呼び出しサービス要求を開始し、また他の端末が前記ＶｏＩＰ端末に対して開始した呼び出しサービス要求を受信して、他の端末との呼び出しサービスを完了させるように構成されるボイスオーバーインターネットプロトコルＶｏＩＰに基づく通信システム。
【請求項１１】
前記ＩＳＰ及び／又は前記ＶＳＰは、前記ＶｏＩＰ端末に対する呼び出しサービスの課金情報を生成するように構成され、
前記他の端末がＶｏＩＰである場合、前記他の端末が登録したＩＳＰ及び／又はＶＳＰによって前記他の端末に対する呼び出し接続の課金情報を生成することを特徴とする
請求項１０に記載のシステム。
【請求項１２】
発呼者ＶｏＩＰ端末が、発呼者ＶｏＩＰ端末が登録したＶＳＰに料金を支払い、
及び／又は、着呼者ＶｏＩＰ端末が、着呼者ＶｏＩＰ端末が登録したＶＳＰに料金を支払い、
及び／又は、発呼者ＶｏＩＰ端末が、発呼者ＶｏＩＰ端末が登録したＩＳＰに呼び出し接続に対して料金を支払い、
及び／又は、着呼者ＶｏＩＰ端末が、着呼者ＶｏＩＰ端末が登録したＩＳＰに呼び出し接続に対して料金を支払い、
及び／又は、発呼者ＶｏＩＰ端末が登録したＶＳＰが、発呼者ＶｏＩＰ端末が登録したＩＳＰに料金を支払い、
及び／又は、着呼者ＶｏＩＰ端末が登録したＶＳＰが、着呼者ＶｏＩＰ端末が登録したＩＳＰに料金を支払い、
及び／又は、発呼者ＶｏＩＰ端末が登録したＶＳＰが、着呼者ＶｏＩＰ端末が登録したＩＳＰに料金を支払い、
及び／又は、着呼者ＶｏＩＰ端末が登録したＶＳＰが、発呼者ＶｏＩＰ端末が登録したＩＳＰに料金を支払い、
及び／又は、発呼者ＶｏＩＰ端末が登録したＶＳＰが、着呼者ＶｏＩＰ端末が登録したＶＳＰに料金を支払い、
及び／又は、着呼者ＶｏＩＰ端末が登録したＶＳＰが、発呼者ＶｏＩＰ端末が登録したＶＳＰに料金を支払うことを特徴とする
請求項１１に記載のシステム。
【請求項１３】
発呼者ＶｏＩＰ端末が登録したＩＳＰは、発呼者ＶｏＩＰ端末から送信された呼び出し要求メッセージを受信した後に、前記呼び出し要求メッセージを発呼者ＶｏＩＰ端末が登録したＶＳＰに送信するように構成され、
発呼者ＶｏＩＰ端末が登録したＶＳＰは、前記呼び出し要求メッセージを着呼者ＶｏＩＰ端末が登録したＶＳＰに転送するように構成され、
着呼者ＶｏＩＰ端末が登録したＶＳＰは、前記呼び出し要求メッセージを着呼者ＶｏＩＰ端末が登録したＩＳＰに転送し、そして着呼者ＶｏＩＰ端末が登録したＩＳＰによって前記呼び出し要求メッセージを着呼者ＶｏＩＰ端末に転送するように構成され、
前記着呼者ＶｏＩＰ端末は、さらに、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し応答メッセージを送信して、発呼者ＶｏＩＰ端末と着呼者ＶｏＩＰ端末の呼び出し接続を実現するように構成されることを特徴とする
請求項１１に記載のシステム。
【請求項１４】
発呼者ＶｏＩＰ端末が登録したＩＳＰは、発呼者ＶｏＩＰ端末から送信されたメディア変更要求メッセージを受信した後に、前記メディア変更要求メッセージを発呼者ＶｏＩＰ端末が登録したＶＳＰに転送するように構成され、
発呼者ＶｏＩＰ端末が登録したＶＳＰは、前記メディア変更要求メッセージを着呼者ＶｏＩＰ端末が登録したＶＳＰに転送するように構成され、
着呼者ＶｏＩＰ端末が登録したＶＳＰは、前記メディア変更要求メッセージを着呼者ＶｏＩＰ端末が登録したＩＳＰに転送し、そして着呼者ＶｏＩＰ端末が登録したＩＳＰによって前記メディア変更要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末にメディア変更応答メッセージを送信して、メディア変更を実現するように構成されることを特徴とする
請求項１１に記載のシステム。
【請求項１５】
発呼者ＶｏＩＰ端末が登録したＩＳＰは、発呼者ＶｏＩＰ端末から送信された呼び出し解放要求メッセージを受信した後に、前記呼び出し解放要求メッセージを発呼者ＶｏＩＰ端末が登録したＶＳＰに転送するように構成され、
発呼者ＶｏＩＰ端末が登録したＶＳＰは、前記呼び出し解放要求メッセージを着呼者ＶｏＩＰ端末が登録したＶＳＰに転送するように構成され、
着呼者ＶｏＩＰ端末が登録したＶＳＰは、前記呼び出し解放要求メッセージを着呼者ＶｏＩＰ端末が登録したＩＳＰに転送し、そして着呼者ＶｏＩＰ端末が登録したＩＳＰによって前記呼び出し解放要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し解放応答メッセージを送信して、呼び出し解放を実現するように構成されることを特徴とする
請求項１１に記載のシステム。
【発明の詳細な説明】
【技術分野】
【０００１】
本発明は、ボイスオーバーインターネットプロトコル（Ｖｏｉｃｅ  ｏｖｅｒ  Ｉｎｔｅｒｎｅｔ  Ｐｒｏｔｏｃｏｌ：ＶｏＩＰ）技術に関し、特にボイスオーバーインターネットプロトコルに基づく通信方法及びシステムに関する。
【背景技術】
【０００２】
現在、Ｓｋｙｐｅ  、Ｇｏｏｇｌｅ  Ｖｏｉｃｅに類似するインターネットに基づくボイスオーバーインターネットプロトコル（Ｖｏｉｃｅ  ｏｖｅｒ  Ｉｎｔｅｒｎｅｔ  Ｐｒｏｔｏｃｏｌ：ＶｏＩＰ）サービスは、その無料、開放の特性で従来の電気通信業界に大きな衝撃をもたらした。
【０００３】
Ｓｋｙｐｅを例にして、このようなインターネットに基づくＶｏＩＰサービスは、次のような利点がある。
【０００４】
（１）Ｓｋｙｐｅは、エンドツーエンド暗号化モードを採用することで、情報の安全性を保証することができる。
Ｓｋｙｐｅは、デジタル署名モードで情報（音声、インスタントメッセージ、ファイル）を送信前に暗号化し、受信した時に復号化するので、データ伝送プロセスに他のノードを介して中継する必要があっても、途中で盗聴される可能性が完全になく、データが改竄されることができないことを保証した。
【０００５】
（２）Ｓｋｙｐｅは、ファイアウォールを突破することができる。
ほとんどのＶｏｉｃｅ−ｏｖｅｒ−ＩＰアプリケーションプログラムは、ファイアウォールとネットワークアドレス変換（Ｎｅｔｗｏｒｋ  Ａｄｄｒｅｓｓ  Ｔｒａｎｓｌａｔｉｏｎ：ＮＡＴ）を突破することができない。Ｓｋｙｐｅは、典型的なＶｏＩＰプログラムではなく、ピアツーピア（Ｐｅｅｒ  ｔｏ  Ｐｅｅｒ：Ｐ２Ｐ）技術を応用して、ほとんどすべてのファイアウォール又はＮＡＴの後に動作できる。
【０００６】
（３）Ｓｋｙｐｅの使用が簡単であり、機能が強い。
従来の電話が３００Ｈｚ〜３０００Ｈｚ周波数の音声のみを聞くことができる。Ｓｋｙｐｅは、すべての周波数の音声、最も重厚感のある音声から最も先鋭な音声までをサポートでき、ほかのいかなるインターネット技術システムがＳｋｙｐｅと同様の高い呼び出し完了率を有しない。現在、ＶｏＩＰアプリケーションプログラムの配置が困難であるので、ネットワークとコンピュータ技術に精通していないユーザは、使用できないが、Ｓｋｙｐｅに対して、ソフトウェアかハードウェアに関わらず、ユーザは、いかなる手動設定を行う必要もなく、通常は１つのアカウントを登録するだけで、すぐにログインして音声通話を開始することができ、音声の他、Ｓｋｙｐｅは、インスタントメッセージ、検索、ファイル伝送をサポートする。
【０００７】
（４）Ｓｋｙｐｅは、リソースを最大可能に節約することができる。
Ｓｋｙｐｅは、通話双方の接続状況に応じて自動的に最適な符号化モードを選択することができる。音声通話の場合に平均的に約３ＫＢ／Ｓ〜１６ＫＢ／Ｓの帯域幅を占有し、実際に占有された帯域幅が相手の帯域幅状況、ネットワーク状況、及びＣＰＵ性能などによって異なる。アイドル時に約０ｋ／ｓ〜０．５ｋ／ｓの帯域幅のみを必要とし、主に友人のオンライン情報への更新に用いる。Ｓｋｙｐｅは、サーバーのリソースを利用することではなく、ネットワークにおける他のユーザの装置により中継する。中継を行うユーザのリソースをあまりにも多く占有しないために、速度を５００Ｋ／Ｓ以下に制限させる。
【０００８】
（５）Ｓｋｙｐｅは、プラットフォームにわたって使用されることができる。
Ｓｋｙｐｅは、現在、Ｗｉｎｄｏｗｓ（登録商標）操作システム、Ｐｏｃｋｅｔ  ＰＣとＭａｃ  ＯＳとＬｉｎｕｘ（登録商標）操作システムに完全に適用するバージョンを有し、音声通話、ファイル交換などのデータ伝送がプラットフォームにわたって行われることができる。Ｓｋｙｐｅに採用された基礎技術により、それが容易に異なる端末装置に移植することを保証し、端末装置と通信技術の発展により適応することができる。
【０００９】
（６）音声通話品質が保証される。
Ｓｋｙｐｅは、各暗号化された呼び出しのために最適な伝送パスを知能的に検索し且つ最適なパスを動的にリアルタイムで選択することにより、音声呼び出しの完了率、音声品質が従来の電話ネットワークをも大幅に超える。
【００１０】
Ｓｋｙｐｅを例にして、このようなインターネットに基づくＶｏＩＰサービスの電気通信オペレータに対する影響は、以下の方面に関連する。
【００１１】
国内の大部分の都市の料金標準では、市内通話について先頭の３分に０．１８元であり、この後に１分増加するたびに０．０９元を増加するが、国内長距離通話について０．７元／分と等価であり、ＩＰカードを使用してダイヤルすると０．３元／分であり、国際電話について地理的な距離に応じて料金が異なり、米国へダイヤルすると、料金標準が８元／分であり、ＩＰカードでも、１分あたり人民元１元以上を必要とする。それに対して、Ｓｋｙｐｅｏｕｔで国内固定電話をかける料金は、１．７ユーロセント／分であり、人民元０．１６元と等価であるが、国際電話について依然として人民元０．１６元／分である。ＳｋｙｐｅをはじめとするＶｏＩＰボイスオーバーインターネットプロトコルの通話料金は、従来の電気通信オペレータの１０％だけであり、国際電話に対して前者が後者の１／３０〜１／４０だけに相当する。巨大な価格差によりＶｏＩＰボイスオーバーインターネットプロトコルサービスは、固定電話オペレータに多大な影響を与える。消費者が選択するようにすると、結果は自明である。したがって、これまで中国バージョンのＳｋｙｐｅは、コンピュータ間（ＰＣ  ｔｏ  ＰＣ）の通話機能だけを備え、コンピューから電話まで（ＰＣ  ｔｏ  Ｐｈｏｎｅ）の通話機能を備えない。
【００１２】
現在、ＶｏＩＰ分野における革新的なソフトウェア、ハードウェア解決手段プロバイダーＩＰｄｒｕｍ社は、ロンドンに移動通信製品ＩＰｄｒｕｍＭｏｂｉｌｅＳｋｙｐｅＣａｂｌｅを正式に発売する。ＩＰｄｒｕｍ社の解決手段により、ユーザは、移動電話でＳｋｙｐｅ無料電話をかけることができる。聞くところによれば、当該技術により、Ｓｋｙｐｅの着信呼び出しを固定電話又は携帯電話に転送することを実現することができる。ＳｋｙｐｅＯｕｔで非Ｓｋｙｐｅユーザに電話をかける場合にローミング料金を支払うことなく国際電話をかける。Ｓｋｙｐｅは、すでにますます移動音声の技術モデルに近く、だんだん移動通信体験モードをその消費者に伝達する。したがって、移動通信トラヒックの一部がＳｋｙｐｅの方へ分かれることは、すぐに期待できる。
【００１３】
Ｓｋｙｐｅの発展を取り扱うには、オペレータは二つの方法しか採用できなく、一つは、技術的手段を取ってブロックすることであるが、現在技術的に不可能であり、もう一つは、Ｓｋｙｐｅと連携して共同で発展してＷｉｎ−Ｗｉｎを求めることである。米国では、従来のオペレータがＶｏＩＰのために従来のグランドアクセスサービスを提供して、通信料金を稼ぐことと、従来のオペレータがこのようなサービスを能動的に提供することの２つの協力モードがある。中国では、アクセスサービスを提供することは、米国とは異なるかもしれなく、このような通話ツールがオペレータのネットワークリソースを大きく占有するので、オペレータにとって割に合わなく、且つ固定電話サービス収入に大きな影響を与え、また、市場アクセス問題も１つの非常に重要な要因である。したがって、短期間にオペレータとＳｋｙｐｅプロバイダーは、協力モード及び利益分配において一致を達成することが困難である。最終、自分の道を行くという現在の状態が発生する。これは、オペレータのサービスの一部がＳｋｙｐｅの方へ分かれることの主な原因である。
【００１４】
上記の要因を考慮して、ＡｐｐｌｅのｉＰｈｏｎｅとＧｏｏｇｌｅのＡｎｄｒｏｉｄ操作システムを実行する携帯電話の普及率が高くなっているのに伴って、インターネット電話サービスは、データトラフィックにより高い収入をもたらしたが、ヨーロッパではいくつかのオペレータは、自身の利益を保護して従来の音声通話とショートメッセージサービスの売り高の減少を抑制させるように、依然としてインターネット電話サービスを制限する。
【００１５】
英国の電気通信オペレータの大手であるボーダフォン社は、Ｓｋｙｐｅサービスを制限する。ユーザは、月ごとに１５ポンド（約２３ドルと等価である）を追加的に支払わなければ、Ｓｋｙｐｅサービスを使用できない。フランステレコム（Ｆｒａｎｃｅ  Ｔｅｌｅｃｏｍ）とドイツテレコム（Ｄｅｕｔｓｃｈｅ  Ｔｅｌｅｃｏｍ）の英国合弁会社は、そのネットワークへの外部サービスのアクセスを禁止する。
【００１６】
ＶｏＩＰの継続的な発展と成長に対して、それを制限又は回避することは、最適な解決手段ではなく、Ｗｉｎ−Ｗｉｎの協力は、今後の発展の傾向である。
【発明の概要】
【発明が解決しようとする課題】
【００１７】
これを鑑みて、本発明の主な目的は、インターネットアクセスオペレータとＶｏＩＰサービスプロバイダーの間の関係を新たに定義することができ、さらにＶｏＩＰ通信をサポートすることができる、ボイスオーバーインターネットプロトコルに基づく通信方法及びシステムを提供することにある。
【課題を解決するための手段】
【００１８】
上記目的を達成するために、本発明の技術方案は、以下のように実現される。
【００１９】
ボイスオーバーインターネットプロトコルに基づく通信方法は、ボイスオーバーインターネットプロトコルＶｏＩＰ端末が、前記ＶｏＩＰ端末が登録したインターネットアクセスオペレータＩＳＰ及びＶｏＩＰサービスプロバイダーＶＳＰにより他の端末に対する呼び出しサービス要求を開始し、また他の端末が前記ＶｏＩＰ端末に対して開始した呼び出しサービス要求を受信して、他の端末との呼び出しサービスを完了させることを含む。
上記の方案において、前記方法は、前記ＩＳＰ及び／又は前記ＶＳＰが前記ＶｏＩＰ端末に対する呼び出しサービスの課金情報を生成することをさらに含む。
【００２０】
上記の方案において、前記方法は、前記他の端末がＶｏＩＰ端末である場合、前記他の端末が登録したＩＳＰ及び／又はＶＳＰによって前記他の端末に対する呼び出しサービスの課金情報を生成することをさらに含む。
【００２１】
上記の方案において、前記方法は、
発呼者ＶｏＩＰ端末が、発呼者ＶｏＩＰ端末が登録したＶＳＰに料金を支払うこと、
及び／又は、着呼者ＶｏＩＰ端末が、着呼者ＶｏＩＰ端末が登録したＶＳＰに料金を支払うこと、
及び／又は、発呼者ＶｏＩＰ端末が、発呼者ＶｏＩＰ端末が登録したＩＳＰに呼び出し接続に対して料金を支払うこと、
及び／又は、着呼者ＶｏＩＰ端末が、着呼者ＶｏＩＰ端末が登録したＩＳＰに呼び出し接続に対して料金を支払うこと、
及び／又は、発呼者ＶｏＩＰ端末が登録したＶＳＰが、発呼者ＶｏＩＰ端末が登録したＩＳＰに料金を支払うこと、
及び／又は、着呼者ＶｏＩＰ端末が登録したＶＳＰが、着呼者ＶｏＩＰ端末が登録したＩＳＰに料金を支払うこと、
及び／又は、発呼者ＶｏＩＰ端末が登録したＶＳＰが、着呼者ＶｏＩＰ端末が登録したＩＳＰに料金を支払うこと、
及び／又は着呼者ＶｏＩＰ端末が登録したＶＳＰが、発呼者ＶｏＩＰ端末が登録したＩＳＰに料金を支払うこと、
及び／又は、発呼者ＶｏＩＰ端末が登録したＶＳＰが、着呼者ＶｏＩＰ端末が登録したＶＳＰに料金を支払うこと、
及び／又は、着呼者ＶｏＩＰ端末が登録したＶＳＰが、発呼者ＶｏＩＰ端末が登録したＶＳＰに料金を支払うことをさらに含む。
【００２２】
上記の方案において、他の端末との呼び出しサービスを完了させることは、
発呼者ＶｏＩＰ端末が登録したＩＳＰが、発呼者ＶｏＩＰ端末から送信された呼び出し要求メッセージを受信した後に、前記呼び出し要求メッセージを発呼者ＶｏＩＰ端末が登録したＶＳＰに転送し、
発呼者ＶｏＩＰ端末が登録したＶＳＰが、前記呼び出し要求メッセージを着呼者ＶｏＩＰ端末が登録したＶＳＰに転送し、着呼者ＶｏＩＰ端末が登録したＶＳＰが前記呼び出し要求メッセージを着呼者ＶｏＩＰ端末が登録したＩＳＰに転送し、そして着呼者ＶｏＩＰ端末が登録したＩＳＰによって前記呼び出し要求メッセージを着呼者ＶｏＩＰ端末に転送し、
前記着呼者ＶｏＩＰ端末がそれぞれ着呼者ＶｏＩＰ端末が登録したＩＳＰ及びＶＳＰ、発呼者ＶｏＩＰ端末が登録したＶＳＰ及びＩＳＰにより、前記発呼者ＶｏＩＰ端末に呼び出し応答メッセージを送信して、発呼者ＶｏＩＰ端末と着呼者ＶｏＩＰ端末の呼び出し接続を実現することを含む。
【００２３】
上記の方案において、他の端末との呼び出しサービスを完了させることは、
発呼者ＶｏＩＰ端末が登録したＩＳＰが、発呼者ＶｏＩＰ端末から送信されたメディア変更要求メッセージを受信した後に、前記メディア変更要求メッセージを発呼者ＶｏＩＰ端末が登録したＶＳＰに転送し、
発呼者ＶｏＩＰ端末が登録したＶＳＰが前記メディア変更要求メッセージを着呼者ＶｏＩＰ端末が登録したＶＳＰに転送し、着呼者ＶｏＩＰ端末が登録したＶＳＰが前記メディア変更要求メッセージを着呼者ＶｏＩＰ端末が登録したＩＳＰに転送し、そして着呼者ＶｏＩＰ端末が登録したＩＳＰによって前記メディア変更要求メッセージを着呼者ＶｏＩＰ端末に転送し、
前記着呼者ＶｏＩＰ端末が、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末にメディア変更応答メッセージを送信して、メディア変更を実現することを含む。
【００２４】
上記の方案において、他の端末との呼び出しサービスを完了させることは、
発呼者ＶｏＩＰ端末が登録したＩＳＰが、発呼者ＶｏＩＰ端末から送信された呼び出し解放要求メッセージを受信した後に、前記呼び出し解放要求メッセージを発呼者ＶｏＩＰ端末が登録したＶＳＰに転送し、
発呼者ＶｏＩＰ端末が登録したＶＳＰが、前記呼び出し解放要求メッセージを着呼者ＶｏＩＰ端末が登録したＶＳＰに転送し、着呼者ＶｏＩＰ端末が登録したＶＳＰが前記呼び出し解放要求メッセージを着呼者ＶｏＩＰ端末が登録したＩＳＰに転送し、そして着呼者ＶｏＩＰ端末が登録したＩＳＰによって前記呼び出し解放要求メッセージを着呼者ＶｏＩＰ端末に転送し、
前記着呼者ＶｏＩＰ端末が、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し解放応答メッセージを送信して、呼び出し解放を実現することを含む。
【００２５】
上記の方案において、前記方法は、着呼者ＶｏＩＰ端末が登録したＶＳＰ及び／又はＩＳＰが応答メッセージを受信した後に、呼び出しサービスの課金情報を生成することをさらに含む。
【００２６】
上記の方案において、前記ＩＳＰは、固定アクセスオペレータ、又は移動アクセスオペレータを含み、
前記ＶＳＰは、ＩＳＰの分岐機構、又は独立外部エンティティを含み、
前記呼び出しサービスは、音声、ビデオ、メッセージＭｅｓｓａｇｅ、ホワイトボード応用、デスクトップ共有、アプリケーション共有、ファイル伝送などのセッションに基づく応用を含む。
【００２７】
ボイスオーバーインターネットプロトコルに基づく通信システムは、ＶｏＩＰ端末、ＩＳＰとＶＳＰを備え、その中、
ＶｏＩＰ端末が、前記ＶｏＩＰ端末が登録したＩＳＰ及びＶＳＰにより他の端末に対する呼び出しサービス要求を開始し、また他の端末が前記ＶｏＩＰ端末に対して開始した呼び出し要求を受信して、他の端末との呼び出しサービスを完了させるように構成される。
【００２８】
上記の方案において、前記ＩＳＰ及び／又は前記ＶＳＰは、前記ＶｏＩＰ端末に対する呼び出しサービスの課金情報を生成するように構成され、
前記他の端末がＶｏＩＰ端末である場合、前記他の端末が登録したＩＳＰ及び／又はＶＳＰによって前記他の端末に対する呼び出し接続の課金情報を生成する。
【００２９】
上記の方案において、発呼者ＶｏＩＰ端末が、発呼者ＶｏＩＰ端末が登録したＶＳＰに料金を支払い、
及び／又は、着呼者ＶｏＩＰ端末が、着呼者ＶｏＩＰ端末が登録したＶＳＰに料金を支払い、
及び／又は、発呼者ＶｏＩＰ端末が、発呼者ＶｏＩＰ端末が登録したＩＳＰに呼び出し接続に対して料金を支払い、
及び／又は、着呼者ＶｏＩＰ端末が、着呼者ＶｏＩＰ端末が登録したＩＳＰに呼び出し接続に対して料金を支払い、
及び／又は、発呼者ＶｏＩＰ端末が登録したＶＳＰが、発呼者ＶｏＩＰ端末が登録したＩＳＰに料金を支払い、
及び／又は、着呼者ＶｏＩＰ端末が登録したＶＳＰが、着呼者ＶｏＩＰ端末が登録したＩＳＰに料金を支払い、
及び／又は、発呼者ＶｏＩＰ端末が登録したＶＳＰが、着呼者ＶｏＩＰ端末が登録したＩＳＰに料金を支払い、
及び／又は、着呼者ＶｏＩＰ端末が登録したＶＳＰが、発呼者ＶｏＩＰ端末が登録したＩＳＰに料金を支払い、
及び／又は、発呼者ＶｏＩＰ端末が登録したＶＳＰが、着呼者ＶｏＩＰ端末が登録したＶＳＰに料金を支払い、
及び／又は、着呼者ＶｏＩＰ端末が登録したＶＳＰが、発呼者ＶｏＩＰ端末が登録したＶＳＰに料金を支払う。
【００３０】
上記の方案において、発呼者ＶｏＩＰ端末が登録したＩＳＰは、発呼者ＶｏＩＰ端末から送信された呼び出し要求メッセージを受信した後に、前記呼び出し要求メッセージを発呼者ＶｏＩＰ端末が登録したＶＳＰに送信するように構成され、
発呼者ＶｏＩＰ端末が登録したＶＳＰは、前記呼び出し要求メッセージを着呼者ＶｏＩＰ端末が登録したＶＳＰに転送するように構成され、
着呼者ＶｏＩＰ端末が登録したＶＳＰは、前記呼び出し要求メッセージを着呼者ＶｏＩＰ端末が登録したＩＳＰに転送し、そして着呼者ＶｏＩＰ端末が登録したＩＳＰによって前記呼び出し要求メッセージを着呼者ＶｏＩＰ端末に転送するように構成され、
前記着呼者ＶｏＩＰ端末は、さらに、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し応答メッセージを送信して、発呼者ＶｏＩＰ端末と着呼者ＶｏＩＰ端末の呼び出し接続を実現するように構成される。
【００３１】
上記の方案において、発呼者ＶｏＩＰ端末が登録したＩＳＰは、発呼者ＶｏＩＰ端末から送信されたメディア変更要求メッセージを受信した後に、前記メディア変更要求メッセージを発呼者ＶｏＩＰ端末が登録したＶＳＰに転送するように構成され、
発呼者ＶｏＩＰ端末が登録したＶＳＰは、前記メディア変更要求メッセージを着呼者ＶｏＩＰ端末が登録したＶＳＰに転送するように構成され、
着呼者ＶｏＩＰ端末が登録したＶＳＰは、前記メディア変更要求メッセージを着呼者ＶｏＩＰ端末が登録したＩＳＰに転送し、そして着呼者ＶｏＩＰ端末が登録したＩＳＰによって前記メディア変更要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末にメディア変更応答メッセージを送信して、メディア変更を実現するように構成される。
【００３２】
上記の方案において、発呼者ＶｏＩＰ端末が登録したＩＳＰは、発呼者ＶｏＩＰ端末から送信された呼び出し解放要求メッセージを受信した後に、前記呼び出し解放要求メッセージを発呼者ＶｏＩＰ端末が登録したＶＳＰに転送するように構成され、
発呼者ＶｏＩＰ端末が登録したＶＳＰは、前記呼び出し解放要求メッセージを着呼者ＶｏＩＰ端末が登録したＶＳＰに転送するように構成され、
着呼者ＶｏＩＰ端末が登録したＶＳＰは、前記呼び出し解放要求メッセージを着呼者ＶｏＩＰ端末が登録したＩＳＰに転送し、そして着呼者ＶｏＩＰ端末が登録したＩＳＰによって前記呼び出し解放要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し解放応答メッセージを送信して、呼び出し解放を実現するように構成される。
【発明の効果】
【００３３】
本発明において、ＶｏＩＰ端末は、ＶｏＩＰ端末が登録したインターネットアクセスオペレータ及びＶｏＩＰサービスプロバイダーにより他の端末に対する呼び出しサービス要求を開始し、また他の端末がＶｏＩＰ端末に対して開始した呼び出しサービス要求を受信して、他の端末との呼び出しサービスを完了させる。本発明は、ＶｏＩＰ端末がインターネットアクセスオペレータを介してＶｏＩＰサービスプロバイダーにアクセスして呼び出しサービスを開始することをサポートし、そして発呼者端末及び着呼者端末がそれぞれの登録したインターネットアクセスオペレータ及びＶｏＩＰサービスプロバイダーにより呼び出しサービスの繋がりを実現することができ、インターネットアクセスオペレータとＶｏＩＰサービスプロバイダーの間の関係を新たに定義し、そして課金原則を明確して、ＶｏＩＰ通信に対するサポートを実現する。
【図面の簡単な説明】
【００３４】
【図１】本発明の実施形態一に係るボイスオーバーインターネットプロトコルに基づく通信システムの構成構造図である。
【図２】本発明の実施形態二に係るボイスオーバーインターネットプロトコルに基づく通信システムの構成構造図である。
【図３】本発明の実施形態三に係るボイスオーバーインターネットプロトコルに基づく通信システムの構成構造図である。
【図４】本発明の実施形態四に係るボイスオーバーインターネットプロトコルに基づく通信システムの構成構造図である。
【図５】本発明の実施形態五に係るボイスオーバーインターネットプロトコルに基づく通信方法のフローチャートである。
【図６】本発明の実施形態六に係るボイスオーバーインターネットプロトコルに基づく通信方法のフローチャートである。
【図７】本発明の実施形態七に係るボイスオーバーインターネットプロトコルに基づく通信方法のフローチャートである。
【図８】本発明の実施形態に係る支払い関係を示す図である。
【発明を実施するための形態】
【００３５】
本発明の基本的な考え方は、ＶｏＩＰ端末が、ＶｏＩＰ端末が登録したインターネットアクセスオペレータ及びＶｏＩＰサービスプロバイダーにより他の端末に対する呼び出しサービス要求を開始し、また他の端末がＶｏＩＰ端末に対して開始した呼び出しサービス要求を受信して、他の端末との呼び出しサービスを完了させることである。
【００３６】
図１は本発明の実施形態一に係るボイスオーバーインターネットプロトコルに基づく通信システムの構成構造図である。図１に示すように、本発明の実施形態一に係るボイスオーバーインターネットプロトコルに基づく通信システムは、ＶｏＩＰ端末、インターネットアクセスオペレータ（Ｉｎｔｅｍｅｔ  Ａｃｃｅｓｓ  Ｓｅｒｖｉｃｅ  Ｐｒｏｖｉｄｅｒ  ：ＩＳＰ）とＶｏＩＰサービスプロバイダー（ＶｏＩＰ  Ｓｅｒｖｉｃｅ  Ｐｒｏｖｉｄｅｒ：ＶＳＰ）を備え、その中、
ユーザがＶｏＩＰサービスプロバイダー（ＶｏＩＰ  Ｓｅｒｖｉｃｅ  Ｐｒｏｖｉｄｅｒ：ＶＳＰ）に料金を支払い、支払いモードは、時間に基づく支払い、毎月の支払いなどの形態であってよく、時間に基づく支払いが前払い又は請求書支払いであってよい。
【００３７】
ユーザは、インターネットアクセスオペレータにインターネットアクセス以外の例えばＶｏＩＰに対する料金を提供する必要がない。
【００３８】
ＶｏＩＰサービスプロバイダー（ＶｏＩＰ  Ｓｅｒｖｉｃｅ  Ｐｒｏｖｉｄｅｒ）は、インターネットアクセスオペレータ（Ｉｎｔｅｍｅｔ  Ａｃｃｅｓｓ  Ｓｅｒｖｉｃｅ  Ｐｒｏｖｉｄｅｒ）にＶｏＩＰに対する使用料金を支払い、支払いモードがあるユーザに対する時間に基づく支払い、毎月の支払いなどの形態であってよく、又は、ユーザに応じない支払い（例えば全体的な毎月の支払い）であってよい。
【００３９】
発呼／着呼ＶｏＩＰサービスプロバイダー（ＶｏＩＰ  Ｓｅｒｖｉｃｅ  Ｐｒｏｖｉｄｅｒ）間の支払いに対して、支払いモードは、あるユーザに対する時間に基づく支払い、毎月の支払いなどの形態であってよく、又は、ユーザに応じない支払い（例えば全体的な毎月の支払い）であってよい。
【００４０】
図１に、ＶｏＩＰ端末１及びＶｏＩＰ端末２は、いずれも自身がそれぞれ登録したＩＳＰ及びＶＳＰにアクセスして、対応する呼び出しサービス、例えばＶｏＩＰ端末１及びＶｏＩＰ端末２の間の呼び出しサービスを実現する。
【００４１】
本発明の技術方案において、発呼／着呼ＶｏＩＰ端末（ＶｏＩＰ端末１が発呼者であり、ＶｏＩＰ端末２が着呼者である）は、それぞれが登録したＩＳＰ及びＶＳＰにより呼び出しサービスを実現する。
【００４２】
ＶｏＩＰ端末は、前記ＶｏＩＰ端末が登録したＩＳＰ及びＶＳＰにより他の端末に対する呼び出しサービス要求を開始し、また他の端末が前記ＶｏＩＰ端末に開始した呼び出しサービス要求を受信して、他の端末との呼び出しサービスを完了させるように構成される。
【００４３】
この例において、前記ＩＳＰ及び／又は前記ＶＳＰは、前記ＶｏＩＰ端末に対する呼び出しサービスの課金情報を生成するように構成され、
前記他の端末がＶｏＩＰ端末である場合、前記他の端末が登録したＩＳＰ及び／又はＶＳＰによって前記他の端末に対する呼び出し接続の課金情報を生成する。
【００４４】
この例において、発呼者ＶｏＩＰ端末が、発呼者ＶｏＩＰ端末が登録したＶＳＰに料金を支払い、
及び／又は、着呼者ＶｏＩＰ端末が、着呼者ＶｏＩＰ端末が登録したＶＳＰに料金を支払い、
及び／又は、発呼者ＶｏＩＰ端末が、発呼者ＶｏＩＰ端末が登録したＩＳＰに呼び出し接続に対して料金を支払い、
及び／又は、着呼者ＶｏＩＰ端末が、着呼者ＶｏＩＰ端末が登録したＩＳＰに呼び出し接続に対して料金を支払い、
及び／又は、発呼者ＶｏＩＰ端末が登録したＶＳＰが、発呼者ＶｏＩＰ端末が登録したＩＳＰに料金を支払い、
及び／又は、着呼者ＶｏＩＰ端末が登録したＶＳＰが、着呼者ＶｏＩＰ端末が登録したＩＳＰに料金を支払い、
及び／又は、発呼者ＶｏＩＰ端末が登録したＶＳＰが、着呼者ＶｏＩＰ端末が登録したＩＳＰに料金を支払い、
及び／又は、着呼者ＶｏＩＰ端末が登録したＶＳＰが、発呼者ＶｏＩＰ端末が登録したＩＳＰに料金を支払い、
及び／又は、発呼者ＶｏＩＰ端末が登録したＶＳＰが、着呼者ＶｏＩＰ端末が登録したＶＳＰに料金を支払い、
及び／又は、着呼者ＶｏＩＰ端末が登録したＶＳＰが、発呼者ＶｏＩＰ端末が登録したＶＳＰに料金を支払う。
【００４５】
課金ネットワーク要素が対応する課金を実現することについては、図８に示すことを参照することができる。
【００４６】
この例において、発呼者ＶｏＩＰ端末が登録したＩＳＰは、発呼者ＶｏＩＰ端末から送信された呼び出し要求メッセージを受信した後に、前記呼び出し要求メッセージを発呼者ＶｏＩＰ端末が登録したＶＳＰに転送するように構成され、
発呼者ＶｏＩＰ端末が登録したＶＳＰは、前記呼び出し要求メッセージを着呼者ＶｏＩＰ端末が登録したＶＳＰに転送するように構成され、
着呼者ＶｏＩＰ端末が登録したＶＳＰは、前記呼び出し要求メッセージを着呼者ＶｏＩＰ端末が登録したＩＳＰに転送し、そして着呼者ＶｏＩＰ端末が登録したＩＳＰによって前記呼び出し要求メッセージを着呼者ＶｏＩＰ端末に転送するように構成され、
前記着呼者ＶｏＩＰ端末は、さらに、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し応答メッセージを送信して、発呼者ＶｏＩＰ端末と着呼者ＶｏＩＰ端末の呼び出し接続を実現するように構成される。
【００４７】
この例において、発呼者ＶｏＩＰ端末が登録したＩＳＰは、発呼者ＶｏＩＰ端末から送信されたメディア変更要求メッセージを受信した後に、前記メディア変更要求メッセージを発呼者ＶｏＩＰ端末が登録したＶＳＰに転送するように構成され、
発呼者ＶｏＩＰ端末が登録したＶＳＰは、前記メディア変更要求メッセージを着呼者ＶｏＩＰ端末が登録したＶＳＰに転送するように構成され、
着呼者ＶｏＩＰ端末が登録したＶＳＰは、前記メディア変更要求メッセージを着呼者ＶｏＩＰ端末が登録したＩＳＰに転送し、そして着呼者ＶｏＩＰ端末が登録したＩＳＰによって前記メディア変更要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末にメディア変更応答メッセージを送信して、メディア変更を実現するように構成される。
【００４８】
この例において、発呼者ＶｏＩＰ端末が登録したＩＳＰは、発呼者ＶｏＩＰ端末から送信された呼び出し解放要求メッセージを受信した後に、前記呼び出し解放要求メッセージを発呼者ＶｏＩＰ端末が登録したＶＳＰに転送するように構成され、
発呼者ＶｏＩＰ端末が登録したＶＳＰは、前記呼び出し解放要求メッセージを着呼者ＶｏＩＰ端末が登録したＶＳＰに転送するように構成され、
着呼者ＶｏＩＰ端末が登録したＶＳＰは、前記呼び出し解放要求メッセージを着呼者ＶｏＩＰ端末が登録したＩＳＰに転送し、そして着呼者ＶｏＩＰ端末が登録したＩＳＰによって前記呼び出し解放要求メッセージを着呼者ＶｏＩＰ端末に転送するように構成され、
前記着呼者ＶｏＩＰ端末は、それぞれ着呼者ＶｏＩＰ端末が登録したＩＳＰ及びＶＳＰ、発呼者ＶｏＩＰ端末が登録したＶＳＰ及びＩＳＰにより前記発呼者ＶｏＩＰ端末に呼び出し解放応答メッセージを送信して、呼び出し解放を実現するように構成される。
【００４９】
この例において、インターネットアクセスオペレータ（Ｉｎｔｅｎｅｔ  Ａｃｃｅｓｓ  Ｓｅｒｖｉｃｅ  Ｐｒｏｖｉｄｅｒ）は、ディープパケットインスペクション（Ｄｅｅｐ  Ｐａｃｋｅｔ  Ｉｎｓｐｅｃｔｉｏｎ：ＤＰＩ）技術を使用してＶｏＩＰの検出と通話開始時間、通話終了時間、通話のためのメディアコンポーネント（タイプ例えばＡｕｄｉｏ、Ｖｉｄｅｏ）のような課金情報の収集を行うことができる。
【００５０】
インターネットアクセスオペレータ（Ｉｎｔｅｎｅｔ  Ａｃｃｅｓｓ  Ｓｅｒｖｉｃｅ  Ｐｒｏｖｉｄｅｒ）は、異なるメディアコンポーネントと属性、及び異なるＶｏＩＰサービスプロバイダー（ＶｏＩＰ  Ｓｅｒｖｉｃｅ  Ｐｒｏｖｉｄｅｒ）に対して課金することができる。
【００５１】
この例において、ＩＳＰは、固定アクセスオペレータであってよく、ＧＰＲＳ、３Ｇ、ＬＴＥなどのような移動アクセスオペレータであってもよい。
【００５２】
ＶＳＰは、ＩＳＰの分岐機構であってよく、独立外部エンティティであってもよい。
【００５３】
呼び出しサービスは、音声、ビデオ、メッセージ（Ｍｅｓｓａｇｅ）、ホワイトボード応用、デスクトップ共有、アプリケーション共有、ファイル伝送などのセッションに基づく応用を含む。
【００５４】
図２は本発明の実施形態二に係るボイスオーバーインターネットプロトコルに基づく通信システムの構成構造図である。図２に示すように、本発明の実施形態二に係るボイスオーバーインターネットプロトコルに基づく通信システムでは、発呼者ＶｏＩＰ端末及び着呼者ＶｏＩＰ端末（ＶｏＩＰ端末１が発呼者であり、ＶｏＩＰ端末２が着呼者である）は、同じＶｏＩＰサービスプロバイダー（ＶｏＩＰ  Ｓｅｒｖｉｃｅ  Ｐｒｏｖｉｄｅｒ）、同じインターネットアクセスオペレータ（Ｉｎｔｅｎｅｔ  Ａｃｃｅｓｓ  Ｓｅｒｖｉｃｅ  Ｐｒｏｖｉｄｅｒ）を使用して、呼び出しサービスを実現し、実現モードが前記図１に示すモードと基本的に同じである。
【００５５】
図３は本発明の実施形態三に係るボイスオーバーインターネットプロトコルに基づく通信システムの構成構造図である。図３に示すように、本発明の実施形態三に係るボイスオーバーインターネットプロトコルに基づく通信システムでは、発呼者ＶｏＩＰ端末及び着呼者ＶｏＩＰ端末（ＶｏＩＰ端末１が発呼者であり、ＶｏＩＰ端末２が着呼者である）は、同じインターネットアクセスオペレータ（Ｉｎｔｅｎｅｔ  Ａｃｃｅｓｓ  Ｓｅｒｖｉｃｅ  Ｐｒｏｖｉｄｅｒ）を使用し、それぞれが登録したＶＳＰをそれぞれ使用して呼び出しサービスを実現し、実現モードが前記図１に示すモードと基本的に同じである。
【００５６】
図４は本発明の実施形態四に係るボイスオーバーインターネットプロトコルに基づく通信システムの構成構造図である。図４に示すように、本発明の実施形態四に係るボイスオーバーインターネットプロトコルに基づく通信システムでは、発呼者ＶｏＩＰ端末及び着呼者ＶｏＩＰ端末（ＶｏＩＰ端末１が発呼者であり、ＶｏＩＰ端末２が着呼者である）は、同じＶｏＩＰサービスプロバイダー（ＶｏＩＰ  Ｓｅｒｖｉｃｅ  Ｐｒｏｖｉｄｅｒ）を使用し、それぞれが登録したＩＳＰをそれぞれ使用して呼び出しサービスを実現し、実現モードが前記図１に示すモードと基本的に同じである。
【００５７】
以下に具体的な例を参照して、本発明に係るボイスオーバーインターネットプロトコルに基づく通信システムの各ネットワーク要素及びその機能応用などを詳しく説明する。以下の各応用例において、図１に示すボイスオーバーインターネットプロトコルに基づく通信システムを基にして説明する。当業者は、他の図２〜図４に示すボイスオーバーインターネットプロトコルに基づく通信システムの応用モードが図１に示すシステムの応用モードと基本的に同じであると理解すべきであり、本発明において詳しい説明は、省略する。
【００５８】
図５は本発明の実施形態五に係るボイスオーバーインターネットプロトコルに基づく通信方法のフローチャートである。図５に示すように、呼び出し確立段階において、ボイスオーバーインターネットプロトコルに基づく通信方法は、
ＶｏＩＰ端末１が呼び出し要求メッセージをＩＳＰ１に送信するステップ５０１と、
ＩＳＰ１がＤＰＩに基づいて要求メッセージをスルーさせるステップ５０２と、
ＩＳＰ１が呼び出し要求メッセージをＶＳＰ１に転送するステップ５０３と、
ＶＳＰ１が呼び出し要求メッセージをＶＳＰ２に転送するステップ５０４と、
ＶＳＰ２が呼び出し要求メッセージをＩＳＰ２に転送するステップ５０５と、
ＩＳＰ２がＤＰＩに基づいて要求メッセージをスルーさせるステップ５０６と、
ＩＳＰ２が呼び出し要求メッセージをＶｏＩＰ端末２に転送するステップ５０７と、
ＶｏＩＰ端末２が呼び出し応答を送信するステップ５０８と、
ＩＳＰ２がＤＰＩに基づいて課金情報、例えば使用されたメディアコンポーネント１（例えばＡｕｄｉｏ）、ｔ１を生成するステップ５０９と、
ＩＳＰ２が呼び出し応答をＶＳＰ２に転送するステップ５１０と、
ＶＳＰ２が課金情報、例えば使用されたメディアコンポーネント１（例えばＡｕｄｉｏ）、時点ｔ１を生成するステップ５１１と、
ＶＳＰ２が呼び出し応答をＶＳＰ１に転送するステップ５１２と、
ＶＳＰ１が課金情報、例えば使用されたメディアコンポーネント１（例えばＡｕｄｉｏ）、時点ｔ１を生成するステップ５１３と、
ＶＳＰ１が呼び出し応答をＩＳＰ１に転送するステップ５１４と、
ＩＳＰ１がＤＰＩに基づいて課金情報、例えば使用されたメディアコンポーネント１（例えばＡｕｄｉｏ）、時点ｔ１を生成するステップ５１５と、
ＩＳＰ１が呼び出し応答をＶｏＩＰ端末１に転送するステップ５１６と、を含む。
【００５９】
図６は本発明の実施形態六に係るボイスオーバーインターネットプロトコルに基づく通信方法のフローチャートである。図６に示すように、メディア変更段階において、ボイスオーバーインターネットプロトコルに基づく通信方法は、
ＶｏＩＰ端末１がメディア変更要求メッセージをＩＳＰ１に送信するステップ６０１と、
ＩＳＰ１がＤＰＩに基づいて要求メッセージをスルーさせるステップ６０２と、
ＩＳＰ１がメディア変更要求メッセージをＶＳＰ１に転送するステップ６０３と、
ＶＳＰ１がメディア変更要求メッセージをＶＳＰ２に転送するステップ６０４と、
ＶＳＰ２がメディア変更要求メッセージをＩＳＰ２に転送するステップ６０５と、
ＩＳＰ２がＤＰＩに基づいて要求メッセージをスルーさせるステップ６０６と、
ＩＳＰ２がメディア変更要求メッセージをＶｏＩＰ端末２に転送するステップ６０７と、
ＶｏＩＰ端末２がメディア変更応答を送信するステップ６０８と、
ＩＳＰ２がＤＰＩに基づいて課金情報、例えば新規なメディアコンポーネント２（例えばＶｉｄｅｏ）、時点ｔ２を生成するステップ６０９と、
ＩＳＰ２がメディア変更応答をＶＳＰ２に転送するステップ６１０と、
ＶＳＰ２が課金情報、例えば新規なメディアコンポーネント２（例えばＶｉｄｅｏ）、時点ｔ２を生成するステップ６１１と、
ＶＳＰ２がメディア変更応答をＶＳＰ１に転送するステップ６１２と、
ＶＳＰ１が課金情報、例えば新規なメディアコンポーネント２（例えばＶｉｄｅｏ）、時点ｔ２を生成するステップ６１３と、
ＶＳＰ１がメディア変更応答をＩＳＰ１に転送するステップ６１４と、
ＩＳＰ１がＤＰＩに基づいて課金情報、例えば新規なメディアコンポーネント２（例えばＶｉｄｅｏ）、時点ｔ２を生成するステップ６１５と、
ＩＳＰ１がメディア変更応答をＶｏＩＰ端末１に転送するステップ６１６と、を含む。
【００６０】
図７は本発明の実施形態七に係るボイスオーバーインターネットプロトコルに基づく通信方法のフローチャートである。図７に示すように、呼び出し解放段階において、この例におけるボイスオーバーインターネットプロトコルに基づく通信方法は、
ＶｏＩＰ端末１が呼び出し解放メッセージをＩＳＰ１に送信するステップ７０１と、
ＩＳＰ１がＤＰＩに基づいて要求メッセージをスルーさせるステップ７０２と、
ＩＳＰ１が呼び出し解放要求メッセージをＶＳＰ１に転送するステップ７０３と、
ＶＳＰ１が呼び出し解放要求メッセージをＶＳＰ２に転送するステップ７０４と、
ＶＳＰ２が呼び出し解放要求メッセージをＩＳＰ２に転送するステップ７０５と、
ＩＳＰ２がＤＰＩに基づいて要求メッセージをスルーさせるステップ７０６と、
ＩＳＰ２が呼び出し解放要求メッセージをＶｏＩＰ端末２に転送するステップ７０７と、
ＶｏＩＰ端末２が呼び出し解放応答を送信するステップ７０８と、
ＩＳＰ２がＤＰＩに基づいて課金情報、例えば時点ｔ３を生成するステップ７０９と、
ＩＳＰ２が呼び出し解放応答をＶＳＰ２に転送するステップ７１０と、
ＶＳＰ２が課金情報、例えば時点ｔ３を生成するステップ７１１と、
ＶＳＰ２が呼び出し解放応答をＶＳＰ１に転送するステップ７１２と、
ＶＳＰ１が課金情報、例えば時点ｔ３を生成するステップ７１３と、
ＶＳＰ１が呼び出し解放応答をＩＳＰ１に転送するステップ７１４と、
ＩＳＰ１がＤＰＩに基づいて課金情報、例えば時点ｔ３を生成するステップ７１５と、
ＩＳＰ１が呼び出し解放応答をＶｏＩＰ端末１に転送するステップ７１６と、を含む。
【００６１】
図８は本発明の実施形態に係る支払い関係を示す図である。図８に示すように、メディアコンポーネント１の使用時間がｔ３−ｔ１であり、メディアコンポーネント２の使用時間がｔ２−ｔ１である。その中、支払い関係１は、発呼ユーザが発呼ＶＳＰ１に料金を支払うことであり、支払い関係２は、着呼ユーザが着呼ＶＳＰ２に料金を支払うことであり、支払い関係３は、発呼ユーザが発呼ＩＳＰ１に料金を支払うことであり、（Ｉｎｔｅｒｎｅｔアクセス費用以外、ＶｏＩＰに対する支払い）、支払い関係４は、着呼ユーザが着呼ＩＳＰ２に料金を支払うことであり、（Ｉｎｔｅｒｎｅｔアクセス費用以外、ＶｏＩＰに対する支払い）、支払い関係５は、ＶＳＰ１がＩＳＰ１に料金を支払うことであり、発呼ユーザのＶＳＰ１がＩＳＰ１のアクセスを使用するための支払いでもあり、料率が一般的に支払い関係１より低く、支払い関係６は、ＶＳＰ２がＩＳＰ２に料金を支払うことであり、着呼ユーザのＶＳＰ２がＩＳＰ２のアクセスを使用するための支払いでもあり、料率が一般的に支払い関係２より低く、支払い関係７は、ＶＳＰ１がＩＳＰ２に料金を支払うことであり、ＩＳＰ２に支配地位（存在すれば）を使用して、ＶＳＰ１に非ＶＳＰ１のユーザのＶｏＩＰアクセス料金を課金することができ、支払い関係８は、ＶＳＰ２がＩＳＰ１に料金を支払うことであり、ＩＳＰ１に支配地位（存在すれば）を使用して、ＶＳＰ２に非ＶＳＰ２のユーザのＶｏＩＰアクセス料金を課金することができ、支払い関係９は、発呼ユーザのＶＳＰ１が着呼ＶＳＰ２に料金を支払うことであり、支払い関係１０は、着呼ユーザのＶＳＰ２が発呼ユーザのＶＳＰ１に料金を支払うことである。
【００６２】
以上は、本発明の最適的な実施形態に過ぎなく、本発明の保護範囲を制限するためのものではない。
【産業上の利用可能性】
【００６３】
本発明は、ＶｏＩＰ端末がインターネットアクセスオペレータを介してＶｏＩＰサービスプロバイダーにアクセスして呼び出しサービスを開始することをサポートし、そして発呼者ＶｏＩＰ端末及び着呼者ＶｏＩＰ端末がそれぞれの登録したインターネットアクセスオペレータ及びＶｏＩＰサービスプロバイダーにより呼び出しサービスの繋がりを実現することができ、インターネットアクセスオペレータ及びＶｏＩＰサービスプロバイダーの間の関係を新たに定義し、そして課金原則を明確して、ＶｏＩＰ通信に対するサポートを実現する。
【符号の説明】
【００６４】
１・・・ＶｏＩＰ端末、２・・・ＶｏＩＰ端末。
【図１】
2015530048.tif 000003
【図２】
2015530048.tif 000004
【図３】
2015530048.tif 000005
【図４】
2015530048.tif 000006
【図５】
2015530048.tif 000007
【図６】
2015530048.tif 000008
【図７】
2015530048.tif 000009
【図８】
2015530048.tif 000010
【国際調査報告】
2015530048.tif 000011
2015530048.tif 000012
2015530048.tif 000013
2015530048.tif 000014